【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】
物体側から順に、正の屈折力を有する第１レンズ群と、負の屈折力を有する第２レンズ群と、正の屈折力を有する第３レンズ群と、正の屈折力を有する第４レンズ群とよりなり、少なくとも第２レンズ群と第４レンズ群が光軸上を移動して変倍を行なう光学系で、第３レンズ群が少なくとも二つのレンズ成分を有し、前記第４レンズ群が少なくとも二つのレンズ成分を有し、前記第３レンズ群の最も像側のレンズ成分の像側の面の曲率半径と物体側の面の曲率半径を夫々Ｒ3r1 、Ｒ3r2 、前記最も像側のレンズ成分の物体側に空気間隔を挟んで隣接するレンズ成分の像側の面の曲率半径と物体側の面の曲率半径を夫々Ｒ3r3 、Ｒ3r4 、前記第４レンズ群の最も物体側のレンズ成分の物体側の面と像側の面の曲率半径を夫々Ｒ4f1 、Ｒ4f2 、前記最も物体側のレンズ成分に空気間隔を挟んで隣接する像側のレンズ成分の物体側の面および像側の面の曲率半径を夫々Ｒ4f3 、Ｒ4f4 とする時、Ｒ3r1 とＲ4f1 、Ｒ3r2 とＲ4f2 、Ｒ3r3 とＲ4f3 、Ｒ3r4 とＲ4f4 が夫々異符号であることを特徴とするズーム撮像光学系。
【請求項２】
物体側より順に、正の屈折力の第１レンズ群と負の屈折力の第２レンズ群と正の屈折力の第３レンズ群と正の屈折力の第４レンズ群とよりなり、少なくとも第２レンズ群と第４レンズ群とが光軸上を移動することにより変倍を行ない、第３レンズ群が物体側より順に前群と後群とよりなり、第４レンズ群が物体側より順に前群と後群とよりなり、第３レンズ群の後群と第４レンズ群の前群がいずれも向かい合う側の面が凹面であるレンズ成分であり、前記第３レンズ群の後群と前記第４レンズ群の前群のいずれかがメニスカス形状の接合レンズあるいは負のパワーの接合レンズあるいは負のパワーのメニスカス単レンズであって、第３レンズ群の後群であるレンズ成分の像側の面の曲率半径Ｒ3r1 と第４レンズ群の前群の物体側の面の曲率半径Ｒ4f1 とが異符号であり、第３レンズ群の後群であるレンズ成分の物体側の面の曲率半径Ｒ3r2 と第４レンズ群の前群であるレンズ成分の像側の面の曲率半径Ｒ4f2 とが異符号であることを特徴とするズーム撮像光学系。
【請求項３】
物体側より順に、正の屈折力を有する第１レンズ群と負の屈折力を有する第２レンズ群と正の屈折力を有する第３レンズ群と正の屈折力を有する第４レンズ群とよりなり、少なくとも第２レンズ群と第４レンズ群が光軸上を移動することにより変倍を行なう光学系で、第３レンズ群が少なくとも二つのレンズ成分からなり、第４レンズ群が物体側より順に物体側に凹面を向けたレンズ成分からなる前群と１枚以上のレンズ成分からなる後群とよりなる４枚以下のレンズにて構成され、前記第４レンズ群の前群がメニスカス形状の接合レンズあるいは負の屈折力の接合レンズあるいは負のメニスカス単レンズであるズーム撮像光学系。
【請求項４】
物体側より順に、正の屈折力を有する第１レンズ群と負の屈折力を有する第２レンズ群と正の屈折力を有する第３レンズ群と正の屈折力を有する第４レンズ群とよりなり、少なくとも第２レンズ群と第４レンズ群とが光軸上を移動することにより変倍を行なう光学系で、第４レンズ群が物体側の面が光軸上から周辺に行くにしたがって負の方向にパワーが変化する非球面を有する両面非球面のレンズ１枚よりなるズーム撮像光学系。
【請求項５】
物体側から順に、正の屈折力の第１レンズ群と負の屈折力の第２レンズ群と正の屈折力の第３レンズ群と正の屈折力の第４レンズ群とよりなり、少なくとも第２レンズ群と第４レンズ群が光軸上を移動することにより変倍を行なう光学系で、光学系を構成するすべてのレンズが屈折率１．６以上であるズーム撮像光学系。
【請求項６】
前記第３レンズ群と第４レンズ群の互いに向かい合う面がいずれも凹面であることを特徴とする請求項１のズーム撮像光学系。
【請求項７】
前記第４レンズ群の各レンズ、接合レンズの場合夫々のレンズの焦点距離が下記条件（２）を満足することを特徴とする請求項１又は６のズーム撮像光学系。
（２）    ０．０１＜｜ｆ4 ／ｆ4S｜＜５
ただし、ｆ4 は第４レンズ群の焦点距離、ｆ4Sは第４レンズ群の物体側よりＳ番目のレンズの焦点距離で、接合レンズの場合夫々のレンズの焦点距離である。
【請求項８】
下記条件（１）を満足することを特徴とする請求項１、６又は７のズーム光学系。
（１）    ０．０１＜｜｜（Ｒ411 ／Ｒ412 ）｜−１｜
ただし、Ｒ411 は第４レンズ群の最も物体側のレンズ成分の物体側の面の曲率半径、Ｒ412は第４レンズ群の最も物体側のレンズ成分の物体側のレンズの像側の面の曲率半径で、レンズ成分が接合レンズの場合接合面の曲率半径である。
【請求項９】
前記第３レンズ群が物体側より順に前群と後群とよりなり、前記第４レンズ群が物体側より順に前群と後群とよりなり、第３レンズ群の後群と第４レンズ群の前群のうちの少なくとも一方が負のパワーを有することを特徴とする請求項８のズーム撮像光学系。
【請求項１０】
第３レンズ群および第４レンズ群の後群のうちの少なくとも一方が正のパワーを有することを特徴とする請求項８又は９のズーム撮像光学系。
【請求項１１】
正のパワーを有する第３群の前群あるいは第４レンズ群の後群のうちの少なくとも一方が両凸単レンズであることを特徴とする請求項１０のズーム撮像光学系。
【請求項１２】
前記両凸単レンズが非球面を有することを特徴とする請求項１１のズーム撮像光学系。
【請求項１３】
前記両凸単レンズが両面非球面であることを特徴とする請求項１２のズーム撮像光学系。
【請求項１４】
前記第４レンズ群の前群が負のパワーを有することを特徴とする請求項２のズーム撮像光学系。
【請求項１５】
前記第４レンズ群の後群が正のパワーを有することを特徴とする請求項２又は１４のズーム撮像光学系。
【請求項１６】
前記第４レンズ群の後群が両凸単レンズであることを特徴とする請求項１５のズーム撮像光学系。
【請求項１７】
前記両凸単レンズが非球面を有することを特徴とする請求項１６のズーム撮像光学系。
【請求項１８】
前記両凸単レンズが両面非球面であることを特徴とする請求項１７のズーム光学系。
【請求項１９】
正の第１レンズ群がフォーカシング時固定であることを特徴とする請求項１、２、３、４、５、６、７、８、９、１０、１１、１２、１３、１４、１５、１６、１７又は１８のズーム撮像光学系。
【請求項２０】
正の第１レンズ群が変倍時固定であることを特徴とする請求項１、２、３、４、５、６、７、８、９、１０、１１、１２、１３、１４、１５、１６、１７、１８又は１９のズーム撮像光学系。
【請求項２１】
変倍時に第３レンズ群を移動させることを特徴とする請求項１、２、３、４、５、６、７、８、９、１０、１１、１２、１３、１４、１５、１６、１７、１８、１９又は２０のズーム撮像光学系。
【請求項２２】
変倍時正の第４レンズ群を物体側に凸の軌跡をもって移動することを特徴とする請求項１、２、３、４、５、６、７、８、９、１０、１１、１２、１３、１４、１５、１６、１７、１８、１９、２０又は２１のズーム撮像光学系。
【請求項２３】
第４レンズ群によりフォーカシングを行なうことを特徴とする請求項１、２、３、４、５、６、７、８、９、１０、１１、１２、１３、１４、１５、１６、１７、１８、１９、２０、２１又は２２のズーム撮像光学系。
【請求項２４】
変倍時絞り位置が固定であることを特徴とする請求項１、２、３、４、５、６、７、８、９、１０、１１、１２、１３、１４、１５、１６、１７、１８、１９、２０、２１、２２又は２３のズーム撮像光学系。
【請求項２５】
ズーム比が５以上であることを特徴とする請求項１、２、３、４、５、６、７、８、９、１０、１１、１２、１３、１４、１５、１６、１７、１８、１９、２０、２１、２２、２３又は２４のズーム撮像光学系。